(57)【要約】      （修正有）【解決手段】流し台のシンクの下方位置に配置され、蓋体２により開閉可能な投入口部３から生ゴミＮ及び生ゴミを分解可能な菌床材Ｋが投入される分解処理槽部１ａをもつケース本体１と、ケース本体内の生ゴミ及び菌床材を撹拌可能な撹拌ロータ５と、分解処理槽部内に水を供給する給水部７と、ケース本体内の撹拌分解された生ゴミ処理物を排出する排出部８とからなる。【効果】投入口部から生ゴミ及び生ゴミを分解可能な菌床材を分解処理槽部内に投入し、蓋体を閉じ、撹拌ロータを回転させると共に給水部により分解処理槽部内に水を供給し、生ゴミは撹拌ロータによる撹拌及び菌床材による分解作用により減量分解され、この撹拌減量分解された生ゴミ処理物は排出部から排出させることができる。【選択図】図２
2006159154.tif 000002
【特許請求の範囲】
【請求項１】
流し台のシンクの下方位置に配置され、蓋体により開閉可能な投入口部から生ゴミ及び生ゴミを分解可能な菌床材が投入される分解処理槽部をもつケース本体と、該ケース本体内の生ゴミ及び菌床材を撹拌可能な撹拌ロータと、該分解処理槽部内に水を供給する給水部と、該ケース本体内の撹拌分解された生ゴミ処理物を排出する排出部とからなることを特徴とする生ゴミ処理装置。
【請求項２】
流し台のシンクの下方位置に配置され、ディスポーザから生ゴミ及び水が供給される受入槽部及び該受入槽部から生ゴミ及び水が供給されると共に生ゴミを分解可能な菌床材が供給される分解処理槽部からなるケース本体と、該分解処理槽部内の生ゴミ及び菌床材を撹拌可能な撹拌ロータと、該分解処理槽部内の撹拌分解された生ゴミ処理物を排出する排出部とからなることを特徴とする生ゴミ処理装置。
【請求項３】
上記ケース本体は流し台のシンクの下方位置に引き出し自在に配設されてなることを特徴とする請求項１又は２記載の生ゴミ処理装置。
【請求項４】
上記撹拌ロータは、回転横軸に複数個の撹拌羽根体を放射状に突設してなることを特徴とする請求項１〜３のいずれか１項に記載の生ゴミ処理装置。
【請求項５】
上記受入槽部内の生ゴミ及び菌床材を撹拌しつつ上記分解処理槽部に供給可能な撹拌供給ロータを設けてなることを特徴とする請求項２〜４のいずれか１項に記載の生ゴミ処理装置。
【請求項６】
上記撹拌ロータは間欠的に正逆回転するように構成されていることを特徴とする請求項１〜５のいずれか１項に記載の生ゴミ処理装置。
【発明の詳細な説明】
【技術分野】
【０００１】
本発明は例えば家庭生ゴミを菌床材を用いて分解減量処理する際に用いられる生ゴミ処理装置に関するものである。
【背景技術】
【０００２】
従来、この種の生ゴミ処理装置として、生ゴミが投入される袋体と、生ゴミの水分を排水するための仕切弁と、生ゴミの水分を排水する排水路とからなる構造のものが知られている。
【特許文献１】特開平５−１３２１０１号公報
【発明の開示】
【発明が解決しようとする課題】
【０００３】
しかしながら上記従来構造の場合、上記袋体内の生ゴミの処理が厄介であることがあるという不都合を有している。
【課題を解決するための手段】
【０００４】
本発明はこれらの不都合を解決することを目的とするもので、本発明のうちで、請求項１記載の発明は、流し台のシンクの下方位置に配置され、蓋体により開閉可能な投入口部から生ゴミ及び生ゴミを分解可能な菌床材が投入される分解処理槽部をもつケース本体と、該ケース本体内の生ゴミ及び菌床材を撹拌可能な撹拌ロータと、該分解処理槽部内に水を供給する給水部と、該ケース本体内の撹拌分解された生ゴミ処理物を排出する排出部とからなることを特徴とする生ゴミ処理装置にある。
【０００５】
又、請求項２記載の発明は、流し台のシンクの下方位置に配置され、ディスポーザから生ゴミ及び水が供給される受入槽部及び該受入槽部から生ゴミ及び水が供給されると共に生ゴミを分解可能な菌床材が供給される分解処理槽部からなるケース本体と、該分解処理槽部内の生ゴミ及び菌床材を撹拌可能な撹拌ロータと、該分解処理槽部内の撹拌分解された生ゴミ処理物を排出する排出部とからなることを特徴とする生ゴミ処理装置にある。
【０００６】
又、請求項３記載の発明は、上記ケース本体は流し台のシンクの下方位置に引き出し自在に配設されてなることを特徴とするものであり、又、請求項４記載の発明は、上記撹拌ロータは、回転横軸に複数個の撹拌羽根体を放射状に突設してなることを特徴とするものであり、又、請求項５記載の発明は、上記受入槽部内の生ゴミ及び菌床材を撹拌しつつ上記分解処理槽部に供給可能な撹拌供給ロータを設けてなることを特徴とするものであり、又、請求項６記載の発明は、上記撹拌ロータは間欠的に正逆回転するように構成されていることを特徴とするものである。
【発明の効果】
【０００７】
本発明は上述の如く、請求項１記載の発明にあっては、流し台のシンクの下方位置に配置されたケース本体の蓋体を開き、投入口部から生ゴミ及び生ゴミを分解可能な菌床材を分解処理槽部内に投入し、蓋体を閉じ、撹拌ロータを回転させると共に給水部により分解処理槽部内に水を供給し、生ゴミは撹拌ロータによる撹拌及び菌床材による分解作用により減量分解され、この撹拌減量分解された生ゴミ処理物は排出部から排出されることになり、したがって、生ゴミをケース本体内の分解処理槽部内に投入することにより、生ゴミは撹拌ロータによる撹拌及び菌床材による分解作用により減量分解され、給水部による給水により撹拌分解が促進され、撹拌減量分解された生ゴミ処理物は排出部から排出させることができ、生ゴミをそのまま分解して排出することができ、水切りや残渣の取出も不要となり、処理速度を向上することができ、悪臭の発生も抑制することができ、菌床材によりほぼ完全に水と炭酸ガスなどに分解することができ、連続投入も可能となり、使用の利便性を高めることができる。
【０００８】
又、請求項２記載の発明にあっては、流し台のシンクの下方位置に配置されたケース本体の受入槽部内にディスポーザから生ゴミ及び水が供給され、この受入槽部から分解処理槽部に生ゴミ及び水、生ゴミを分解可能な菌床材が供給され、撹拌ロータを回転させ、生ゴミは撹拌ロータによる撹拌及び菌床材による分解作用により減量分解され、この撹拌減量分解された生ゴミ処理物は排出部から排出されることになり、したがって、生ゴミはケース本体内の受入槽部内にディスポーザから供給され、この受入槽部から分解処理槽部内に供給され、生ゴミは撹拌ロータによる撹拌及び菌床材による分解作用により減量分解され、撹拌減量分解された生ゴミ処理物は排出部から排出させることができ、生ゴミをそのまま分解して排出することができ、水切りや残渣の取出も不要となり、処理速度を向上することができ、悪臭の発生も抑制することができ、菌床材によりほぼ完全に水と炭酸ガスなどに分解することができ、連続投入も可能となり、使用の利便性を高めることができる。
【０００９】
又、請求項３記載の発明にあっては、上記ケース本体は流し台のシンクの下方位置に引き出し自在に配設されているから、生ゴミの投入時において、ケース本体を引き出し、生ゴミの投入後はシンクの下方位置に収納することができ、それだけ、使用の利便性を高めることができ、又、請求項４記載の発明にあっては、上記撹拌ロータは、回転横軸に複数個の撹拌羽根体を放射状に突設してなるから、生ゴミ及び菌床材の撹拌を良好に行うことができ、又、請求項５記載の発明にあっては、上記受入槽部内の生ゴミ及び菌床材を撹拌しつつ上記分解処理槽部に供給可能な撹拌供給ロータを設けてなるから、撹拌供給ロータにより前処理的に生ゴミ及び菌床材を撹拌することができ、それだけ処理速度を高めることができ、作業性を向上することができ、又、請求項６記載の発明にあっては、上記撹拌ロータは間欠的に正逆回転するように構成されているから、生ゴミ及び菌床材の撹拌を良好に行うことができ、それだけ分解減量作用を良好に行うことができる。
【発明を実施するための最良の形態】
【００１０】
図１乃至図７は本発明の実施の形態例を示し、図１乃至図５は第一形態例、図６、図７は第二形態例である。
【００１１】
図１乃至図５の第一形態例において、１はケース本体であって、流し台ＷのシンクＳの下方位置に配置され、上面に蓋体２により開閉可能な投入口部３が形成され、この投入口部３から生ゴミＮ及び生ゴミを分解可能な菌床材Ｋが投入される分解処理槽部１ａを設けて構成している。
【００１２】
この菌床材Ｋとしては、例えば、そば殻に例えば、好気性中温菌からなる微生物を着床させたものが用いられ、特に、生ゴミの油分を分解させる機能をもち、特殊処理により乾燥させたものが用いられる。
【００１３】
この場合、上記ケース本体１は、流し台ＷのシンクＳの下方位置に伸縮レール４ａ及び車輪４ｂからなる引出機構４により引き出し自在に設けられている。
【００１４】
５は撹拌ロータであって、上記ケース本体１内部の分解処理槽部１ａ内に回転自在に横設され、この場合、撹拌ロータ５は、回転横軸５ａに複数個の撹拌羽根体５ｂを放射状に突設して形成され、撹拌ロータ５は、駆動機構６としての駆動用モータ６ａの回転を伝導機構６ｂを介して回転横軸５ａに伝導し、連続回転又は間欠回転、又は所定時間毎に間欠的に正逆回転させる構造となっている。
【００１５】
７は給水部であって、図外の水供給源に弁７ｃを介して接続される給水パイプ７ａの複数個の給水穴７ｂから分解処理槽部１ａに水Ｈを給水する構造となっている。
【００１６】
８は排出部であって、上記ケース本体１の内分解処理槽部１ａの底部に複数個の排水穴８ａを形成し、ケース本体１の後部に臨む排水路８ｂを形成してなり、排水路を介して図外の下水等に分解処理槽部１ａ内の撹拌分解された生ゴミ処理物Ｆを排水するように構成されている。
【００１７】
この実施の第一形態例は上記構成であるから、たとえば、図２の如く、流し台ＷのシンクＳの下方位置に配置されたケース本体１の蓋体２を開き、投入口部３から生ゴミＮ及び生ゴミを分解可能な菌床材Ｋを分解処理槽部１ａ内に投入し、蓋体２を閉じ、撹拌ロータ５を回転させると共に給水部７により分解処理槽部１ａ内に水Ｈを供給し、生ゴミＮは撹拌ロータ５による撹拌及び菌床材Ｋによる分解作用により減量分解され、この撹拌減量分解された生ゴミ処理物Ｆは排出部８から排出されることになる。
【００１８】
したがって、生ゴミＮをケース本体１内の分解処理槽部１ａ内に投入することにより、生ゴミＮは撹拌ロータ５による撹拌及び菌床材Ｋによる分解作用により減量分解され、給水部７による給水により撹拌分解が促進され、撹拌減量分解された生ゴミ処理物Ｆは排出部８から排出させることができ、生ゴミをそのまま分解して排出することができ、水切りや残渣の取出も不要となり、処理速度を向上することができ、悪臭の発生も抑制することができ、菌床材Ｋによりほぼ完全に水と炭酸ガスなどに分解することができ、連続投入も可能となり、使用の利便性を高めることができる。
【００１９】
この場合、上記ケース本体１は流し台ＷのシンクＳの下方位置に引き出し自在に配設されているから、生ゴミＮの投入時において、ケース本体１を引き出し、生ゴミＮの投入後はシンクＳの下方位置に収納することができ、それだけ、使用の利便性を高めることができ、又、この場合、上記撹拌ロータ５は、回転横軸５ａに複数個の撹拌羽根体５ｂを放射状に突設してなるから、生ゴミＮ及び菌床材Ｋの撹拌を良好に行うことができ、又、この場合、上記撹拌ロータ５は間欠的に正逆回転するように構成されているから、生ゴミＮ及び菌床材Ｋの撹拌を良好に行うことができ、それだけ分解減量作用を良好に行うことができる。
【００２０】
図６、図７の第二形態例は別例構造を示し、この場合、ケース本体１は、図外のディスポーザの排出パイプＭから生ゴミＮ及び水Ｈが供給される受入槽部１ｂ及び受入槽部１ｂから生ゴミＮ及び水Ｈが供給されると共に生ゴミＮを分解可能な菌床材Ｋが供給される分解処理槽部１ａから構成され、この分解処理槽部１ａ内には生ゴミＮ及び菌床材Ｋを撹拌可能な撹拌ロータ５が回転自在に横設され、分解処理槽部１ａ内の撹拌分解された生ゴミ処理物Ｆを排出する構造となっており、この場合、上記受入槽部１ｂ内に生ゴミＮ及び菌床材Ｋを撹拌しつつ分解処理槽部１ａに供給可能な撹拌供給ロータ９が設けられ、この撹拌供給ロータ９は、上記回転横軸５ａに複数個の撹拌羽根体９ａを放射状に突設し、この撹拌羽根体９ａをやや斜めに傾けて形成し、この撹拌羽根体９ａの傾斜により受入槽部１ｂ内の生ゴミＮ及び菌床材Ｋを撹拌しつつ仕切壁体１０に形成された供給口部１０ａを介して分解処理槽部１ａに供給するように構成している。
【００２１】
この第二形態例にあっては、図６の如く、流し台ＷのシンクＳの下方位置に配置されたケース本体１の受入槽部１ｂ内にディスポーザから生ゴミＮ及び水Ｈが供給され、この受入槽部１ｂから分解処理槽部１ａに生ゴミＮ及び水Ｈ、生ゴミを分解可能な菌床材Ｋが供給され、撹拌ロータ５を回転させ、生ゴミＮは撹拌ロータ５による撹拌及び菌床材Ｋによる分解作用により減量分解され、この撹拌減量分解された生ゴミ処理物Ｆは排出部８から排出されることになる。
【００２２】
したがって、生ゴミＮはケース本体１内の受入槽部１ｂ内にディスポーザから供給され、この受入槽部１ｂから分解処理槽部１ａ内に供給され、生ゴミＮは撹拌ロータ５による撹拌及び菌床材Ｋによる分解作用により減量分解され、撹拌減量分解された生ゴミ処理物Ｆは排出部８から排出させることができ、生ゴミをそのまま分解して排出することができ、水切りや残渣の取出も不要となり、処理速度を向上することができ、悪臭の発生も抑制することができ、菌床材Ｋによりほぼ完全に水と炭酸ガスなどに分解することができ、連続投入も可能となり、使用の利便性を高めることができる。
【００２３】
又、この場合、上記受入槽部１ｂ内の生ゴミＮ及び菌床材Ｋを撹拌しつつ上記分解処理槽部１ａに供給可能な撹拌供給ロータ９を設けてなるから、撹拌供給ロータ９により前処理的に生ゴミＮ及び菌床材Ｋを撹拌することができ、それだけ処理速度を高めることができ、作業性を向上することができる。
【００２４】
尚、本発明は上記実施の形態例に限られるものではなく、ケース本体１、撹拌ロータ５、引出機構４、給水部７、排水部８、撹拌供給ロータ９の構造や形態等は適宜変更して設計される。
【００２５】
以上、所期の目的を充分達成することができる。
【図面の簡単な説明】
【００２６】
【図１】本発明の実施の第一形態例の全体斜視図である。
【図２】本発明の実施の第一形態例の縦断面図である。
【図３】本発明の実施の第一形態例の横断面図である。
【図４】本発明の実施の第一形態例の平断面図である。
【図５】本発明の実施の第一形態例の使用状態図である。
【図６】本発明の実施の第二形態例の縦断面図である。
【図７】本発明の実施の第二形態例の横断面図である。
【符号の説明】
【００２７】
Ｗ    流し台
Ｓ    シンク
Ｎ    生ゴミ
Ｋ    菌床材
Ｈ    水
Ｆ    生ゴミ処理物
１    ケース本体
１ａ    分解処理槽部
１ｂ    受入槽部
２    蓋体
３    投入口部
５    攪拌ロータ
７    給水部
８    排出部
９    攪拌供給ロータ
【図１】
2006159154.tif 000003
【図２】
2006159154.tif 000004
【図３】
2006159154.tif 000005
【図４】
2006159154.tif 000006
【図５】
2006159154.tif 000007
【図６】
2006159154.tif 000008
【図７】
2006159154.tif 000009